(57)【要約】【課題】ＲＦ出力信号が正常か否かを判定することができ、且つ、当該判定における誤判定を防止することができる光端末装置を提供する。【解決手段】光信号を入力し、前記光信号に基づくＲＦ出力信号を出力する光端末装置であって、前記ＲＦ出力信号のレベルが正常であるか否かを判定する判定手段（マイコン３８）と、前記判定手段での判定に用いられる判定基準値を記憶する記憶手段（不揮発性メモリ３８Ａ）と、前記判定手段の判定結果を出力する判定結果出力手段（ＬＥＤ４０）と、前記判定基準値の変更を指示する判定基準値変更コマンドを前記光信号から抽出する抽出手段（光検出部２６、分岐器２７、及びＦＳＫ復調器３７）と、前記記憶手段が記憶している前記判定基準値を前記判定基準値変更コマンドに基づいて変更する変更手段（マイコン３８）とを備える光端末装置。【選択図】図３
2010183468.tif 000002
【特許請求の範囲】
【請求項１】
光信号を入力し、前記光信号に基づくＲＦ出力信号を出力する光端末装置において、
前記ＲＦ出力信号のレベルが正常であるか否かを判定する判定手段と、
前記判定手段での判定に用いられる判定基準値を記憶する記憶手段と、
前記判定手段の判定結果を出力する判定結果出力手段と、
前記判定基準値の変更を指示する判定基準値変更コマンドを前記光信号から抽出する抽出手段と、
前記記憶手段が記憶している前記判定基準値を前記判定基準値変更コマンドに基づいて変更する変更手段とを備えることを特徴とする光端末装置。
【請求項２】
前記記憶手段が不揮発性メモリである請求項１に記載の光端末装置。
【請求項３】
請求項１又は請求項２に記載の光端末装置と、前記光端末装置を遠隔制御する遠隔制御装置と、光送信装置とを備え、
前記遠隔制御装置が、判定基準値の変更を指示する判定基準値変更コマンドを出力し、
前記光送信装置が、前記判定基準値変更コマンドを含む電気信号を光信号に変換し、前記光信号を前記光端末装置に送信することを特徴とする光伝送システム。
【発明の詳細な説明】
【技術分野】
【０００１】
本発明は、光伝送システムの加入者側に設置され、受信した放送用光信号を電気信号に変換する光端末装置及びそれを備えた光伝送システムに関する。光端末装置は、放送用光加入者端末装置（V-ONU:Video-Optical Network Unit）及び通信用光加入者端末装置（D-ONU:Digital-Optical Network Unit）を有する放送通信一体型光加入者端末装置（V/D-ONU）であってもよく、V-ONUであってもよい。
【背景技術】
【０００２】
光ファイバケーブルを用いたケーブルテレビ放送システム等の光伝送システムでは、加入者宅毎に光端末装置（例えば、特許文献１〜３参照）が設置される。
【先行技術文献】
【特許文献】
【０００３】
【特許文献１】特開２００７−２８８３８４号公報（段落００２２、第２図）
【特許文献２】特開２００７−１２４１７５号公報（段落００３４、段落００３５、第４図）
【特許文献３】実用新案登録第３１３４７６２号公報（要約）
【発明の概要】
【発明が解決しようとする課題】
【０００４】
しかしながら、従来の光端末装置は、ＲＦ出力信号が正常であるか否かを判定する機能を有しておらず、サービスマンや加入者がＲＦ出力信号の状態をすぐに把握できず、光端末装置設置時の動作確認や放送受信障害が発生した際の原因特定が煩雑になるという問題があった。
【０００５】
そこで、ＲＦ出力信号が正常であるか否かを判定する機能を光端末装置に付加することが考えられる。ところが、２０１１年７月２４日以降の地上波テレビ放送のアナログ停波により、ＲＦ出力信号が正常であるか否かの判定において誤判定が発生するおそれがある。また、光伝送システムによって伝送される放送波の波数（チャンネル数）が、地上波テレビ放送のアナログ停波以外の要因により将来的に変更された場合も、同様にＲＦ出力信号が正常であるか否かの判定において誤判定が発生するおそれがある。
【０００６】
本発明は、上記の状況に鑑み、ＲＦ出力信号が正常か否かを判定することができ、且つ、当該判定における誤判定を防止することができる光端末装置及びそれを備えた光伝送システムを提供することを目的とする。
【課題を解決するための手段】
【０００７】
上記目的を達成するために本発明に係る光端末装置は、光信号を入力し、前記光信号に基づくＲＦ出力信号を出力する光端末装置であって、前記ＲＦ出力信号のレベルが正常であるか否かを判定する判定手段と、前記判定手段での判定に用いられる判定基準値を記憶する記憶手段と、前記判定手段の判定結果を出力する判定結果出力手段と、前記判定基準値の変更を指示する判定基準値変更コマンドを前記光信号から抽出する抽出手段と、前記記憶手段が記憶している前記判定基準値を前記判定基準値変更コマンドに基づいて変更する変更手段とを備える構成とする。
【０００８】
このような構成によると、ＲＦ出力信号のレベルが正常であるか否かを判定する判定手段を備えているので、ＲＦ出力信号が正常か否かを判定することができる。さらに、このような構成によると、記憶手段が記憶している判定基準値を判定基準値変更コマンドに基づいて変更する変更手段を備えているので、例えば、光伝送システムによって伝送される放送波の波数（チャンネル数）が将来的に変更された場合でも、ＲＦ出力信号が正常か否かの判定において誤判定が生じないようにすることができる。
【０００９】
また、前記記憶手段が不揮発性メモリであることが望ましい。これにより、停電などにより光端末装置への電源供給が遮断されその後復旧した場合でも、判定基準値を記憶しておくことができる。
【００１０】
また、上記目的を達成するために本発明に係る光伝送システムは、上記いずれかの構成の光端末装置と、前記光端末装置を遠隔制御する遠隔制御装置と、光送信装置とを備え、前記遠隔制御装置が、判定基準値の変更を指示する判定基準値変更コマンドを出力し、前記光送信装置が、前記判定基準値変更コマンドを含む電気信号を光信号に変換し、前記光信号を前記光端末装置に送信する構成とする。
【発明の効果】
【００１１】
本発明によると、光端末装置が、ＲＦ出力信号のレベルが正常であるか否かを判定する判定手段と、記憶手段が記憶している判定基準値を判定基準値変更コマンドに基づいて変更する変更手段とを備えているので、ＲＦ出力信号が正常か否かを判定することができ、且つ、当該判定における誤判定を防止することができる。
【図面の簡単な説明】
【００１２】
【図１】は、本発明の第１実施形態に係るＣＡＴＶ用光伝送システムの概略構成を示す図である。
【図２】は、図１に示すＣＡＴＶ用光伝送システムで用いられる光端末装置の外観例を示す斜視図である。
【図３】は、図１に示すＣＡＴＶ用光伝送システムで用いられる光端末装置の概略構成例を示す図である。
【図４】は、判定基準値変更コマンドのデータ構成例を示す図である。
【図５】は、判定基準値変更コマンドの他のデータ構成例を示す図である。
【図６】は、本発明の第２実施形態に係るＣＡＴＶ用光伝送システムの概略構成を示す図である。
【発明を実施するための形態】
【００１３】
本発明の実施形態について図面を参照して以下に説明する。本発明の第１実施形態に係るＣＡＴＶ用光伝送システムの概略構成を図１に示す。図１に示す光伝送システムは、V-ONU遠隔制御用パーソナルコンピュータ（以下、V-ONU遠隔制御用パソコンという）１と、ＦＳＫ（Frequency Shift Keying）変調器２と、混合器３と、光送信器４と、光ファイバ５と、光分岐器６と、光ファイバ７−１〜７−ｎと、遠隔制御機能を有するV-ONU８−１〜８−ｎと、テレビ受信機９−１〜９−ｎと、加入者側パーソナルコンピュータ（以下、加入者側パソコン）１０と、D-ONU１１−１〜１１−ｎと、光ファイバ１２−１〜１２−ｎと、光分岐器１３と、光ファイバ１４と、通信系機器１５とを備えている。
【００１４】
本発明に係る光端末装置の一例であるV/D-ONU１６−１は、V-ONU８−１とD-ONU１１−１とによって構成される。本発明に係る光端末装置の一例であるV/D-ONU１６−２〜１６−ｎについても同様であり、V/D-ONU１６−ｋはV-ONU８−ｋとD-ONU１１−ｋとによって構成される（ｋは２以上ｎ以下の自然数）。V-ONU遠隔制御用パソコン１は、請求項に記載の遠隔制御装置の一例である。光送信器４は、請求項に記載の光送信装置の一例である。また、図１に示す光伝送システムにおけるV-ONU遠隔制御の仕様は、日本ケーブルラボが制定したV-ONU遠隔制御運用仕様（JCL SPEC-014 1.0版）に準拠したものとする。
【００１５】
V-ONU遠隔制御用パソコン１と、ＦＳＫ変調器２と、混合器３と、光送信器４と、通信系機器１３とはセンタ局に設置され、光分岐器６及び１３は伝送線路中に設置され、V/D-ONU１６−１〜１６−ｎと、テレビ受信機９−１〜９−ｎと、加入者側パソコン１０−１〜１０−ｎとは各加入者宅に設置される。なお、光分岐器６及び１３はセンタ局側に設置してもよい。
【００１６】
V-ONU遠隔制御用パソコン１は、V-ONU遠隔制御用ソフトウェアを内部の記憶部（不図示）に格納しており、そのV-ONU遠隔制御用ソフトウェアを実行することで、V-ONU８−１〜８−ｎに対応する遠隔制御命令を周期的に生成し、その遠隔制御命令をＦＳＫ変調器２に出力する。ＦＳＫ変調器２は、V-ONU遠隔制御用パソコン１からの遠隔制御命令をＦＳＫ変調して混合器３に送出する。
【００１７】
混合器３は、ＴＶ信号であるＲＦ信号と、ＦＳＫ変調器２からのＦＳＫ変調された遠隔制御命令とを混合した混合信号を光送信器４に出力する。なお、２００９年時点において、混合器３に入力されるＴＶ信号（ＲＦ信号）はアナログ波とデジタル波とが混在した状態である。光送信器４は、混合器３からの混合信号を光信号に変換し、その光信号を光ファイバ５経由で光分岐器６に伝送する。光送信器４は、例えば、混合器３からの混合信号の変化に応じて光変調度を調整した後、レーザーダイオードにより混合器３からの混合信号を光信号に変換している。
【００１８】
光分岐器６は、光ファイバ５によって伝送されてきた光信号をｎ（ｎは自然数）分岐して各光ファイバ７−１〜７−ｎ経由で各加入者宅の各V-ONU８−１〜８−ｎに伝送する。各加入者宅の各V-ONU８−１〜８−ｎは、受け取った光信号を電気信号に変換し、その電気信号に含まれているＲＦ信号を各加入者宅の各同軸ケーブルを介して各加入者宅の各テレビ受信機９−１〜９−ｎに伝送する。また、各加入者宅の各V-ONU８−１〜８−ｎは、受け取った光信号を変換して得られた電気信号に含まれているＦＳＫ変調された遠隔制御命令を、内部のＦＳＫ復調器（図１において不図示）によってＦＳＫ復調して遠隔制御命令を認識している。
【００１９】
そして、センタ局からV-ONUへの遠隔制御は、V-ONU８−１〜８−nに対して個別に或いは一斉に行われる。個別の遠隔制御を可能にするために、V-ONU８−１〜８−n各々に固有識別情報（例えばアドレス）を付与する必要がある。個別の遠隔制御を行う場合、制御対象のV-ONUに付与した固有識別情報（例えばアドレス）を指定して制御を実行することになる。
【００２０】
したがって、個別の遠隔制御を可能にするために、V-ONU８−１〜８−n各々は、工場において固有識別情報（例えばアドレス）を付与され、その後出荷され、最終的に図１に示すように各加入者宅に設置される。
【００２１】
各D-ONU１１−１〜１１−ｎは、各V-ONU８−１〜８−ｎとともに各光端末装置１６−１〜１６−ｎの筐体内部に収納されている（後述の図２参照）。各D-ONU１１−１〜１１−ｎと各加入者側パソコン１０−１〜１０−ｎとは光ファイバで接続されている。各D-ONU１１−１〜１１−ｎは、通信系のユニットであり、例えばインターネット接続などに使用され、各加入者側パソコン１０−１〜１０−ｎを各光ファイバ１２―１〜１２−ｎ、光分岐器１３、光ファイバ１４、及び通信系機器１５を介してインターネット等のネットワークに接続することができる。
【００２２】
次に、V/D-ONU１６−１〜１６−ｎ並びにその構成要素であるV-ONU８−１〜８−ｎ及びD-ONU１１−１〜１１−ｎについて図２〜図５を参照して詳細に説明する。
【００２３】
V/D-ONU１６−１〜１６−ｎはそれぞれ例えば図２に示すような外観であり、箱状の本体２０と、本体２０の開放部を開閉自在に覆う蓋２１とを備え、本体２０内部に光ファイバトレイ２２と信号処理回路ユニット２３とD-ONU１１とを収納している。本体２０の側面２０Ａに設けられた光ファイバ挿入口２４を通じて外部から光ファイバが導入され、その導入された光ファイバが光ファイバトレイ２２上に巻き付けられ、前記光ファイバの端部に設けた光コネクタが光中継アダプタに接続される。また、本体２０の側面２０Ａには、光ファイバ挿入口２４の他に同軸ケーブル接続用コネクタ２５も設けられている。光ファイバによって伝送された光信号は、信号処理回路ユニット２３において信号処理されて、電気信号（ＲＦ信号）に変換され、同軸ケーブル接続用コネクタ２５から外部に出力される。なお、図２では、本体２０内の右側に信号処理回路ユニット２３が収納されていることを表すために、その上部に搭載される光ファイバトレイの図示を省略しているが、実際には本体２０の左側と同様に光ファイバトレイを搭載している。
【００２４】
また、V-ONU８−１〜８−ｎはそれぞれ例えば図３に示す概略構成のV-ONUである。図３に示すV-ONUは、入力ポート（光中継アダプタ）ＩＮと、入力ポートＩＮからの光信号を電気信号に変換する機能を有する光検出部２６と、光検出部２６から出力された電気信号をＴＶ信号であるＲＦ信号と遠隔制御命令を含むＦＳＫ復調用のＲＦ信号に分離する機能を有する分岐器２７と、前記分岐器２７の幹線出力からのＴＶ信号であるＲＦ信号をＣＡＴＶ帯の信号とＣＳ／ＢＳ−ＩＦ帯域の信号とに分波する分波器２８と、ＣＡＴＶ帯域の信号を増幅する増幅器２９と、ＣＳ／ＢＳ−ＩＦ帯域の信号を増幅する増幅器３０と、増幅器２９によって増幅されたＣＡＴＶ帯域の信号を分岐する分岐器３１と、増幅器３０によって増幅されたＣＳ／ＢＳ−ＩＦ帯域の信号を分岐する分岐器３２と、分配器３１の幹線の出力端から送出されるＣＡＴＶ帯域の信号と分配器３２の幹線の出力端から送出されるＣＳ／ＢＳ−ＩＦ帯域の信号とを混合する混合器３３と、混合器３３から送出される混合信号（ＣＡＴＶ帯域の信号とＣＳ／ＢＳ−ＩＦ帯域の信号との混合信号）を減衰する減衰器３４と、減衰器３４から送出される信号をＲＦ出力信号としてテレビ受信機などに外部出力する出力端子（同軸ケーブル接続用コネクタ）とを備えている。
【００２５】
図３に示すV-ONUは、さらに、分岐器３１の分岐の出力端から送出されるＣＡＴＶ帯域の信号を入力してそのＣＡＴＶ帯域の信号のレベルに応じた電圧（以下、ＣＡＴＶ検波電圧という）を出力する検波器３５と、分岐器３２の分岐の出力端から送出されるＣＳ／ＢＳ−ＩＦ帯域の信号を入力してそのＣＳ／ＢＳ−ＩＦ帯域の信号のレベルに応じた電圧（以下、ＣＳ／ＢＳ−ＩＦ検波電圧という）を出力する検波器３６と、光検出部２６から供給されるＦＳＫ変調された遠隔制御命令をＦＳＫ復調するＦＳＫ復調器３７と、マイクロコンピュータ（以下、マイコンという）３８と、マイコン３８の制御に応じたＬＥＤ駆動信号を出力するＬＥＤ（Light Emitting Diode）駆動部３９と、ＬＥＤ駆動部３９からのＬＥＤ駆動信号によって駆動するＬＥＤ４０とを備えている。マイコン３８は、不揮発性メモリ（例えばフラッシュメモリ）３８Ａと、Ａ／Ｄ変換器（不図示）とを内蔵している。
【００２６】
マイコン３８は、請求項に記載の判定手段の一例であり、請求項に記載の変更手段の一例でもある。不揮発性メモリ３８Ａは、請求項に記載の記憶手段の一例である。ＬＥＤ４０は、請求項に記載の判定結果出力手段の一例である。光検出部２６、分岐器２７、及びＦＳＫ復調器３７は、請求項に記載の抽出手段の一例である。
【００２７】
マイコン３８は、検波器３５から送られてくるＣＡＴＶ検波電圧をＡ／Ｄ変換器によってデジタル値に変換し、検波器３５から送られてくるＣＳ／ＢＳ−ＩＦ検波電圧をＡ／Ｄ変換器によってデジタル値に変換する。また、マイコン３８は、ＣＡＴＶ帯域の信号のレベルが正常であるか否かを判定する際に用いられるＣＡＴＶ用判定基準値と、ＣＳ／ＢＳ−ＩＦ帯域の信号のレベルが正常であるか否かを判定する際に用いられるＣＳ／ＢＳ−ＩＦ用判定基準値とを不揮発性メモリ３８Ａに予め格納している。
【００２８】
マイコン３８は、ＣＡＴＶ検波電圧のＡ／Ｄ変換値とＣＡＴＶ用判定基準値とを比較し、ＣＡＴＶ検波電圧のＡ／Ｄ変換値がＣＡＴＶ用判定基準値以下であればＣＡＴＶ帯域の信号のレベルが正常であると判定し、ＣＡＴＶ検波電圧のＡ／Ｄ変換値がＣＡＴＶ用判定基準値以下でなければＣＡＴＶ帯域の信号のレベルが正常でないと判定する。また、マイコン３８は、ＣＳ／ＢＳ−ＩＦ検波電圧のＡ／Ｄ変換値とＣＳ／ＢＳ−ＩＦ用判定基準値とを比較し、ＣＳ／ＢＳ−ＩＦ検波電圧のＡ／Ｄ変換値がＣＳ／ＢＳ−ＩＦ用判定基準値以下であればＣＳ／ＢＳ−ＩＦ帯域の信号のレベルが正常であると判定し、ＣＳ／ＢＳ−ＩＦ検波電圧のＡ／Ｄ変換値がＣＳ／ＢＳ−ＩＦ用判定基準値以下でなければＣＳ／ＢＳ−ＩＦ帯域の信号のレベルが正常でないと判定する。
【００２９】
なお、上記の実施例とは逆に、マイコン３８が、ＣＡＴＶ検波電圧のＡ／Ｄ変換値がＣＡＴＶ用判定基準値以上であればＣＡＴＶ帯域の信号のレベルが正常であると判定し、ＣＳ／ＢＳ−ＩＦ検波電圧のＡ／Ｄ変換値がＣＳ／ＢＳ−ＩＦ用判定基準値以上であればＣＳ／ＢＳ−ＩＦ帯域の信号のレベルが正常であると判定するようにしてもよい。また、マイコン３８が、ＣＡＴＶ用上限判定基準値、ＣＡＴＶ用下限判定基準値、ＣＳ／ＢＳ−ＩＦ用上限判定基準値、及びＣＳ／ＢＳ−ＩＦ用下限判定基準値を不揮発性メモリ３８Ａに予め格納し、ＣＡＴＶ検波電圧のＡ／Ｄ変換値がＣＡＴＶ用下限判定基準値以上であってＣＡＴＶ用上限判定基準値以下であればＣＡＴＶ帯域の信号のレベルが正常であると判定し、ＣＳ／ＢＳ−ＩＦ検波電圧のＡ／Ｄ変換値がＣＳ／ＢＳ−ＩＦ用下限判定基準値以上であってＣＳ／ＢＳ−ＩＦ用上限判定基準値以下であればＣＳ／ＢＳ−ＩＦ帯域の信号のレベルが正常であると判定するようにしてもよい。
【００３０】
マイコン３８は、ＣＡＴＶ帯域の信号のレベル、ＣＳ／ＢＳ−ＩＦ帯域の信号のレベルの両方が正常であると判定した場合に、ＲＦ出力信号のレベルが正常であると判定し、ＣＡＴＶ帯域の信号のレベル、ＣＳ／ＢＳ−ＩＦ帯域の信号のレベルの少なくとも一つが正常でないと判定した場合に、ＲＦ出力信号のレベルが正常でないと判定する。マイコン３８は、ＲＦ出力信号のレベルが正常であるか否かの判定結果に応じてＬＥＤ駆動部３９を制御する。例えば、ＬＥＤ４０を緑色ＬＥＤと赤色ＬＥＤとで構成し、ＲＦ出力信号のレベルが正常であるという判定結果が得られた場合は緑色ＬＥＤのみを点灯させ、ＲＦ出力信号のレベルが正常でないという判定結果が得られた場合は赤色ＬＥＤのみを点灯させるようにすればよい。さらに、マイコン３８は、ＲＦ出力信号のレベルが正常であるか否かの判定結果に関する通知信号を、V-ONUのアドレスを付与した形式で出力する。当該通知信号は、通知信号出力端子４１からD-ONU１１（図２参照）に送信され、D-ONU１１によってセンタ局の通信系機器１５に伝送され、さらに通信系機器１５からV-ONU遠隔制御用パソコン１に送信される。これにより、V-ONU遠隔制御用パソコン１が、V-ONU８−１〜８−ｎそれぞれについて、ＲＦ出力信号のレベルが正常であるか否かの判定結果を把握することができる。
【００３１】
なお、上記の実施例では、ＲＦ出力信号のレベルが正常であるか否かの判定結果をＲＦ出力信号全体として出力しているが、帯域別に出力するようにしてもよい。この場合、例えば、ＬＥＤ４０をＣＡＴＶ用緑色ＬＥＤとＣＡＴＶ用赤色ＬＥＤとＣＳ／ＢＳ−ＩＦ用緑色ＬＥＤとＣＳ／ＢＳ−ＩＦ用赤色ＬＥＤとで構成し、ＣＡＴＶ帯域の信号のレベル、ＣＳ／ＢＳ−ＩＦ帯域の信号のレベルの両方が正常であるという判定結果（＝ＲＦ出力信号のレベルが正常であるという判定結果）が得られた場合はＣＡＴＶ用緑色ＬＥＤ及びＣＳ／ＢＳ−ＩＦ用緑色ＬＥＤのみを点灯させ、ＣＡＴＶ帯域の信号のレベルが正常でなく、ＣＳ／ＢＳ−ＩＦ帯域の信号のレベルが正常であるという判定結果（＝ＲＦ出力信号のレベルが正常でないという判定結果の一形態）が得られた場合はＣＡＴＶ用赤色ＬＥＤ及びＣＳ／ＢＳ−ＩＦ用緑色ＬＥＤのみを点灯させ、ＣＡＴＶ帯域の信号のレベルが正常であって、ＣＳ／ＢＳ−ＩＦ帯域の信号のレベルが正常でないとう判定結果（＝ＲＦ出力信号のレベルが正常でないという判定結果の一形態）が得られた場合はＣＡＴＶ用緑色ＬＥＤ及びＣＳ／ＢＳ−ＩＦ用赤色ＬＥＤのみを点灯させ、ＣＡＴＶ帯域の信号のレベル、ＣＳ／ＢＳ−ＩＦ帯域の信号のレベルの両方が正常でないとう判定結果（＝ＲＦ出力信号のレベルが正常でないという判定結果の一形態）が得られた場合はＣＡＴＶ用赤色ＬＥＤ及びＣＳ／ＢＳ−ＩＦ用赤色ＬＥＤのみを点灯させるようにすればよい。また、この場合においても、マイコン３８は、ＲＦ出力信号のレベルが正常であるか否かの判定結果に関する通知信号を、V-ONUのアドレスを付与した形式で出力するようにすればよい。そうすると、当該通知信号は、通知信号出力端子４１からD-ONU１１（図２参照）に送信され、D-ONU１１によってセンタ局の通信系機器１５に伝送され、さらに通信系機器１５からV-ONU遠隔制御用パソコン１に送信される。これにより、V-ONU遠隔制御用パソコン１が、V-ONU８−１〜８−ｎそれぞれについて、ＲＦ出力信号のレベルが正常であるか否かの判定結果を把握することができる。
【００３２】
図３に示すV-ONUは、ＲＦ出力信号のレベルが正常であるか否かを判定する際に用いられる判定基準値（例えば、ＣＡＴＶ用判定基準値、ＣＳ／ＢＳ−ＩＦ用判定基準値、ＣＡＴＶ用上限判定基準値、ＣＳ／ＢＳ−ＩＦ用上限判定基準値、ＣＡＴＶ用下限判定基準値、ＣＳ／ＢＳ−ＩＦ用下限判定基準値など）を、V-ONU遠隔制御用パソコン１からの遠隔制御命令に応じて変更する構成である。具体的には、マイコン３８が、ＦＳＫ復調器３７から判定基準値変更コマンド（遠隔制御命令の一種）を受け取り、その判定基準値変更コマンドに基づいて、不揮発性メモリ３８Ａに格納している判定基準値を書き換える。
【００３３】
このような構成により、光伝送システムによって伝送される放送波の波数（チャンネル数）が将来的に変更された場合でも、ＲＦ出力信号が正常か否かの判定において誤判定が生じないようにすることができる。また、図３に示すV-ONUは、判定基準値を不揮発性メモリ３８Ａに格納しているので、停電などにより図３に示すV-ONUへの電源供給が遮断されその後復旧した場合でも、判定基準値を記憶しておくことができる。
【００３４】
V-ONU遠隔制御用パソコン１は、必要なとき（例えば、光伝送システムによって伝送される放送波の波数（チャンネル数）が変更されたとき）に、判定基準値変更コマンドをV-ONU８−１〜８−ｎに送信する。
【００３５】
ここで、判定基準値変更コマンドのデータ構成例を図４に示す。図４に示す判定基準値変更コマンドは、シリアルデータの先頭を示す制御コードであるＳＴＸ、判定基準値変更コマンドであることを示す識別子、判定基準値、チェックサム、シリアルデータの末尾を示す制御コードであるＥＴＸの順にデータ送信されるシリアルコマンドである。なお、チェックサムは、チェックサムより前のデータ全てを対象とするチェックサムでも良く、チェックサムより前のデータの一部のみを対象とする対象とするチェックサムでもよい。
【００３６】
V-ONU遠隔制御用パソコン１が図４に示す判定基準値変更コマンドをV-ONU８−１〜８−ｎに送信した場合、V-ONU８−１〜８−ｎ全てにおいて判定基準値変更コマンドが書き換わる。V-ONU８−１〜８−ｎに対して個別に又はグループ毎に判定基準値を変更することを可能にするためには、例えば、判定基準値変更コマンドを図５に示すデータ構成にするとよい。また、グループ毎に判定基準値を変更する場合には、例えば、V-ONU遠隔制御用パソコン１がV-ONU８−１〜８−ｎについてのアドレスとグループとの対応関係を記憶しておくようにするとよい。
【００３７】
図５に示す判定基準値変更コマンドは、シリアルデータの先頭を示す制御コードであるＳＴＸ、判定基準値を変更するV-ONUを特定するためのアドレス即ち判定基準値変更対象であるV-ONUのアドレス、判定基準値変更コマンドであることを示す識別子、判定基準値、チェックサム、シリアルデータの末尾を示す制御コードであるＥＴＸの順にデータ送信されるシリアルコマンドである。
【００３８】
判定基準値変更コマンドに含まれているチェックサムは、チェックサムより前のデータ全てを対象とするチェックサムでも良く、チェックサムより前のデータの一部のみを対象とする対象とするチェックサムでもよい。
【００３９】
次に、本発明の第２実施形態に係るＣＡＴＶ用光伝送システムの概略構成を図６に示す。なお、図６において、図１と同一の部分には同一の符号を付し、詳細な説明を省略する。
【００４０】
図６に示す光伝送システムは、V-ONU遠隔制御用パーソナルコンピュータ１と、ＦＳＫ変調器２と、混合器３と、光送信器４と、光ファイバ５と、光分岐器６と、光ファイバ７−１〜７−ｎと、遠隔制御機能を有するV-ONU８−１〜８−ｎと、テレビ受信機９−１〜９−ｎとを備えている。即ち、図６に示す光伝送システムは、図１に示す光伝送システムから、加入者側パソコン１０と、D-ONU１１−１〜１１−ｎと、光ファイバ１２−１〜１２−ｎと、光分岐器１３と、光ファイバ１４と、通信系機器１５とを取り除いた構成である。
【００４１】
図６に示す光伝送システムでは、各V-ONU８−１〜８−ｎが本発明に係る光端末装置に該当する。また、図６に示す光伝送システムで用いられている光端末装置（V-ONU８−１〜８−ｎ）の外観例は、図２に示す外観とほぼ同様であり、図２からD-ONU１１を取り除いたものとなる。また、図６に示す光伝送システムで用いられている光端末装置（V-ONU８−１〜８−ｎ）の概略構成例は、図３に示す構成とほぼ同様であり、図３から通知信号出力端子４１を取り除き、ＲＦ出力信号のレベルが正常であるか否かの判定結果に関する通知信号をマイコン３８が出力しない構成としたものである。
【００４２】
したがって、図６に示す光伝送システムは、図１に示す光伝送システムと同様に、光伝送システムによって伝送される放送波の波数（チャンネル数）が将来的に変更された場合でも、ＲＦ出力信号が正常か否かの判定において誤判定が生じないようにすることができる。
【００４３】
なお、本発明に係る光端末装置及び本発明に係る光伝送システムは、上述した第１及び第２実施形態の構成に限定されることはない。
【００４４】
例えば、図３に示すV-ONUは、ＣＡＴＶ帯域の信号、ＣＳ／ＢＳ−ＩＦ帯域の信号を個別検波する構成であるが、当該構成に代えて、混合器３３から出力される信号又は減衰器３４から出力される信号を検波し、その検波結果を用いてＲＦ出力信号のレベルが正常であるか否かを判定するようにしてもよい。
【００４５】
また、図３に示すV-ONUは、ＲＦ出力信号のレベルが正常であるか否かの判定結果を、ＬＥＤ４０の点灯色及びD-ONUを介してのV-ONU遠隔制御用パソコン１への通知信号出力或いはＬＥＤ４０の点灯色により、出力している構成であるが、当該構成に代えて、例えば、ＲＦ出力信号のレベルが正常であるか否かの判定結果を、音声出力及びD-ONUを介してのV-ONU遠隔制御用パソコン１への通知信号出力或いは音声出力により、出力するようにしてもよい。
【符号の説明】
【００４６】
１    V-ONU遠隔制御用パソコン
２    ＦＳＫ変調器
３    混合器
４    光送信器
５    光ファイバ
６    光分岐器
７−１〜７−ｎ    光ファイバ
８−１〜８−ｎ    V-ONU（本発明に係る光端末装置の一例）
９−１〜９−ｎ    テレビ受信機
１０    加入者側パソコン
１１、１１−１〜１１−ｎ    D-ONU
１２−１〜１２−ｎ    光ファイバ
１３    光分岐器
１４    光ファイバ
１５    通信系機器
１６−１〜１６−ｎ    V/D-ONU
２０    本体
２０Ａ    本体の側面
２１    蓋
２２    光ファイバトレイ
２３    信号処理回路ユニット
２４    光ファイバ挿入口
２５    同軸ケーブル接続用コネクタ
２６    光検出部
２７    分岐器
２８    分波器
２９、３０    増幅器
３１、３２    分岐器
３３    混合器
３４    減衰器
３５、３６    検波器
３７    ＦＳＫ復調器
３８    マイコン
３８Ａ      不揮発性メモリ
３９    ＬＥＤ駆動部
４０    ＬＥＤ
４１    通知信号出力端子
【図１】
2010183468.tif 000003
【図２】
2010183468.tif 000004
【図３】
2010183468.tif 000005
【図４】
2010183468.tif 000006
【図５】
2010183468.tif 000007
【図６】
2010183468.tif 000008